(57)【特許請求の範囲】
【請求項１】
釣具を、相対する釣糸挟持面が形成された左右一対の分割体と、
釣糸挟持面を向かい合わせた両分割体の外周に巻着されて、両分割体を向かい合わせて当接した状態を保持するベルト体とで構成し、
前記釣糸挟持面で釣糸を挟持した両分割体の外周にベルト体を巻着して、釣糸に釣具を取付け可能とした釣具の釣糸保持構造であって、
前記分割体の一方の外周にベルト体取付部とベルト体係止部が形成され、
前記ベルト体は、一端側が前記ベルト体取付部に取り付き、他方の分割体の外周に巻回されたベルト体の他端側は係止片が形成されて、当該係止片が前記ベルト体係止部に係止することを特徴とする釣具の釣糸保持構造。
【請求項２】
前記ベルト体は、一端側から他端側の間に係止片が形成されると共に、左右一対の分割体のいずれか一方に、当該係止片が係止するベルト体係止部が設けられていることを特徴とする請求項１に記載の釣具の釣糸保持構造。
【請求項３】
前記ベルト体は、第一ベルト部材と当該第一ベルト部材の先端に接続された第二ベルト部材とで構成され、第一ベルト部材と第二ベルト部材の接続部に係止片が形成されていることを特徴とする請求項２に記載の釣具の釣糸保持構造。
【請求項４】
前記左右一対の分割体の少なくともいずれか一方に、他方の分割体方向へ突出する突片が形成されると共に、当該突片に、釣糸を釣具の中央に案内する釣糸案内溝が設けられていることを特徴とする請求項１乃至請求項３のいずれか１項に記載の釣具の釣糸保持構造。
【請求項５】
前記左右一対の分割体は、ベルト体を介して連結されていることを特徴とする請求項１乃至請求項４のいずれか１項に記載の釣具の釣糸保持構造。
【発明の詳細な説明】
【技術分野】
【０００１】
本発明は、釣糸に浮きや錘等の釣具を容易且つズレることなく確実に止着することができる釣具の釣糸保持構造に関する。
【背景技術】
【０００２】
従来、釣糸に浮き等の釣具を止着するために様々な手段が用いられており、ゴム管や木栓等の浮き止めを用いることが一般的な手段として広く知られている。
しかし、これらの従来構造では、浮き止めを常時携行する必要があるため、携行を忘れると実釣時に浮きの使用ができず、また、浮き止めを使用することで釣糸に損傷を与えてしまう虞もあった。
【０００３】
一方、特許文献１及び特許文献２には、斯かる浮き止めを不要とした浮きが開示されている。
図１１乃至図１３に示すように特許文献１に開示された従来例は、浮き１を連結具３で連結された左右一対の半球５，７で形成したもので、半球５，７を閉じて、釣糸９を相対する半球５，７の接合面１１，１３で挟み込んだ後、接合面１３の周縁部に設けた係止片１５を接合面１１の周縁部に設けた係止部１７に係止することで、釣糸９に浮き１を止着することができるようになっている。
【０００４】
また、特許文献２に開示された浮きは、係合孔を有する浮き本体と、当該浮き本体と釣糸との係着位置を係脱可能にロックするロック手段を備えたもので、ロック手段は、前記係合孔の内周面に設けたテーパ状の絞り弁部と、当該係合孔に螺合進退自在な操作体とからなり、操作体に釣糸が貫挿している。
そして、操作体の挿入側先端部（絞り弁部側端部）は半径方向に拡縮する弾性部材で形成されており、係合孔に螺合する操作体を回転操作してこれを前進させると、その挿入側先端部が絞り弁部により半径方向へ縮径して釣糸をロック（保持）し、また、操作体が後退するようにこれを回転操作すると、挿入側先端部が拡開して釣糸へのロックが解除されるようになっている。
【発明の開示】
【発明が解決しようとする課題】
【０００５】
しかし乍ら、特許文献１に開示された浮き１は、一方の接合面１３の周縁部に設けた係止片１５を他方の接合面１１の周縁部に設けた係止部１７に係止して、釣糸９を挟み込んだ接合面１１，１３の接合状態を維持する構造上、釣糸９に対する締付力が必ずしも十分なものとはいえず、接合面１１，１３の中心側よりも係止片１５，係止部１７側が強く締め付けられ、接合面１１，１３の中心側で挟持すると、キャスティング時等の衝撃で浮き１が釣糸９に沿ってズレてしまう虞があった。
【０００６】
また、特許文献２に開示された浮きは、釣糸を浮きに挿通しなければならないため、取付け操作に手間が掛かり、而も、釣糸を完全にロックするまで、操作体が回転し乍ら前進して挿入側先端部が徐々に閉じていく構造上、釣糸をロックする間際で釣糸に僅かに捻りと締め付けが同時に加わるため、釣糸の強度が低下し、また、糸撚れを起こしてしまう虞があった。
【０００７】
本発明は斯かる実情に鑑み案出されたもので、釣糸に浮きや錘等の釣具を容易且つズレることなく確実に止着することができる釣具の釣糸保持構造を提供することを目的とする。
【課題を解決するための手段】
【０００８】
斯かる目的を達成するため、請求項１に係る釣具の釣糸保持構造は、釣具を、相対する釣糸挟持面が形成された左右一対の分割体と、釣糸挟持面を向かい合わせた両分割体の外周に巻着されて、両分割体を向かい合わせて当接した状態を保持するベルト体とで構成し、
前記釣糸挟持面で釣糸を挟持した両分割体の外周にベルト体を巻着して、釣糸に釣具を取付け可能とした釣具の釣糸保持構造であって、前記分割体の一方の外周にベルト体取付部とベルト体係止部が形成され、前記ベルト体は、一端側が前記ベルト体取付部に取り付き、他方の分割体の外周に巻回されたベルト体の他端側は係止片が形成されて、当該係止片が前記ベルト体係止部に係止することを特徴とする。
【０００９】
そして、請求項２に係る発明は、請求項１に記載の釣具の釣糸保持構造に於て、前記ベルト体は、一端側から他端側の間に係止片が形成されると共に、左右一対の分割体のいずれか一方に、当該係止片が係止するベルト体係止部が設けられていることを特徴とする。
また、請求項３に係る発明は、請求項２に記載の釣具の釣糸保持構造に於て、前記ベルト体は、第一ベルト部材と当該第一ベルト部材の先端に接続された第二ベルト部材とで構成され、第一ベルト部材と第二ベルト部材の接続部に係止片が形成されていることを特徴とし、請求項４に係る発明は、請求項１乃至請求項３のいずれか１項に記載の釣具の釣糸保持構造に於て、前記左右一対の分割体の少なくともいずれか一方に、他方の分割体方向へ突出する突片が形成されると共に、当該突片に、釣糸を釣具の中央に案内する釣糸案内溝が設けられていることを特徴とする。
【００１０】
更に請求項５に係る発明は、請求項１乃至請求項４のいずれか１項に記載の釣具の釣糸保持構造に於て、前記左右一対の分割体は、ベルト体を介して連結されていることを特徴とする。
【発明の効果】
【００１１】
各請求項に係る発明によれば、釣糸挟持面間に釣糸を配置した後、両分割体を向かい合わせてこれらの外周にベルト体を巻着させるといった簡単な操作で釣具を釣糸に止着することができる。
而も、向かい合わせた分割体の外周にベルト体を巻着させて、両分割体を向かい合わせて当接した状態が保持されるため、釣糸に対する十分な締付力が得られ、この結果、釣具を容易且つズレることなく確実に釣糸に取り付けることができる。
【００１２】
そして、請求項１に係る発明は、ベルト体が釣糸挟持面間を跨って半周以上に亘って釣具の外周を巻回するため、更に釣糸に対する十分な締付力が得られ、釣具をズレることなくより確実に釣糸に取り付けることができる利点を有する。
また、請求項３に係る発明によれば、第一ベルト部材で両分割体を仮止めした後、第二ベルト部材でロックするといった動作が可能で、操作性に優れた利点を有する。
【００１３】
更に、請求項４に係る発明によれば、釣糸案内溝が釣糸を釣具の中央に案内するため、釣糸を釣具の中心に配置することが可能である。
そして、請求項５に係る発明によれば、釣糸への取付操作時に、例えば一方の分割体を落としてしまうことがないため、操作性に優れた利点を有する。
【発明を実施するための最良の形態】
【００１４】
以下、本発明の実施形態を図面に基づいて詳細に説明する。
図１乃至図６は請求項１乃至請求項５に係る発明の一実施形態を示し、本実施形態は、一般に「水中浮き」と呼ばれる水に沈むタイプの浮きに本発明を適用したもので、図１に示すように浮き２１は略円錐状に形成され、取り付ける釣糸（図３中、符号２３）の長手方向に沿って左右に分割された一対の左側分割体２５と右側分割体２７、そして、これらの外周に巻着されたベルト体２９とで構成されている。
【００１５】
図２乃至図６に示すように左側分割体２５と右側分割体２７は、合成樹脂やゴム，木材等を材料として横断面略半円形状に形成されており、両分割体２５，２７には、相対する平坦な釣糸挟持面３１，３３が向かい合わせて当接可能に設けられている。
そして、右側分割体２７の頂部と底部には、左側分割体２５方向へ平面視半円形状の突片３５，３７が突設され、一方、左側分割体２５の頂部と底部には、釣糸挟持面３１，３３を向かい合わせた時に突片３５，３７の底部が接合する平坦な載置部３９，４１が設けられており、図１に示すように突片３５，３７は浮き２１の頂部と底部を構成している。
【００１６】
更に突片３５，３７には、夫々、釣糸２３を浮き２１の中央に案内する１本の釣糸案内溝４３，４５が釣糸挟持面３３と直交して設けられており、釣糸案内溝４３，４５の奥部は釣糸挟持面３３に達してこれと面一にされ、そして、釣糸案内溝４３，４５の奥部に、釣糸挿通孔４７，４９が浮き２１の中心軸と一致して設けられている。
そして、図１及び図５に示すように釣糸挟持面３１，３３を向かい合わせた両分割体２５，２７の中央外周に樹脂製のベルト体２９が巻着して、両分割体２５，２７を向かい合わせて当接した状態が保持されるようになっており、図５及び図６に示すように釣糸挟持面３１，３３で釣糸２３を挟持してベルト体２９を巻着することで、浮き２１が釣糸２３に取り付くこととなる。
【００１７】
尚、挟持する釣糸が太いと、図５の如く釣糸挟持面３１，３３は互いに当接しないで釣糸２３を挟持することとなる。
図１及び図４乃至図６に示すようにベルト体２９は、可撓性を有する帯状の第一ベルト部材５１と、この先端に接続された第一ベルト部材５１より硬質な断面円弧状の第二ベルト部材５３とで構成されており、図４に示すように第一ベルト部材５１の先端に長孔５５が上下方向に設けられ、また、図５に示すように第一ベルト部材５１の後端に、断面ラチェット形状の取付片５７が設けられている。
【００１８】
そして、両分割体２５，２７の一端側には、第一ベルト部材５１を挿通させるベルト挿通孔５９，６１が釣糸挟持面３１，３３から外周に亘って設けられており、図５に示すように両分割体２５，２７（釣糸挟持面３１，３３）を接合させると、これらのベルト挿通孔５９，６１は同軸上に連通する。そして、ベルト挿通孔６１が開口する右側分割体２７の外周に、前記取付片５７が係止可能なベルト体取付部６３が設けられており、図６の矢印で示すように、当該ベルト体取付部６３側から第一ベルト部材５１の先端側をベルト挿通孔６１，５９に順次挿通させると、取付片５７がベルト体取付部６３に取り付いて第一ベルト部材５１の後端が右側分割体２７のベルト挿通孔６１に抜け止めされて取り付けられ、そして、第一ベルト部材５１を介して両分割体２５，２７が連結されるようになっている。
【００１９】
また、図１及び図６に示すように左側分割体２５の中央外周には、一端側にベルト挿通孔５９が開口するベルト体巻回溝６５が、釣糸挟持面３１に亘って周方向へ設けられている。更に、右側分割体２７の中央外周には、左側分割体２５との接合時にベルト体巻回溝６５と連通するベルト体巻回溝６７が、釣糸挟持面３３から周方向へ半周に亘って設けられている。
【００２０】
そして、図６に示すようにベルト体巻回溝６５の底部に、凹状のベルト体係止部６９が釣糸挟持面３１の近傍に形成されると共に、右側分割体２７のベルト体巻回溝６７の終端側底部に凹状のベルト体係止部７１が設けられている。そして、ベルト挿通孔６１，５９に挿通させた第一ベルト部材５１の先端の長孔５５に硬質の第二ベルト部材５３の係止片７３が差し込まれて、第一ベルト部材５１の先端に第二ベルト部材５３の後端が浮き２１の周方向に回動可能に支持されるように係合している。
【００２１】
図６に示すように第二ベルト部材５３は、ベルト体巻回溝６５，６７の底部の形状に沿って断面円弧状に形成され、その後端には、前記長孔５５に係脱自在な断面Ｊ字形状の前記係止片７３が設けられている。
また、第二ベルト部材５３の先端側には、既述したベルト体係止部７１に係脱自在な係止片７５が設けられており、両分割体２５，２７の釣糸挟持面３１，３３を向かい合わせた後、第一ベルト部材５１をその可撓性によって両分割体２５，２７の外周形状に沿うように変形させ乍らベルト体巻回溝６５内に巻回すると、ベルト体２９から両分割体２５，２７方向へ突出する突片からなる前記係止片７３がベルト体係止部６９に係止し、そして、係止片７３とベルト体係止部６９との係止部位を支点に、第二ベルト部材５３をベルト体巻回溝６５，６７に沿って両分割体２５，２７側へ倒すと、係止片７５がベルト体係止部７１に係止して両分割体２５，２７の接合状態がベルト体２９で保持されるようになっている。この係止片７３とベルト体係止部６９は複数設けてもよい。
【００２２】
尚、既述した取付片５７は、右側分割体２７の外周と面一となってベルト体取付部６３に取り付き、また、ベルト体２９（第一，第二ベルト部材５１，５３）は、両分割体２５，２７の外周と面一となってベルト体巻回溝６５，６７内に巻着されるようになっている。
本実施形態に係る浮き２１はこのように構成されているから、使用に当たり、予め図６の如く第一ベルト部材５１をベルト挿通孔６１，５９に挿通させて取付片５７をベルト体取付部６３に取り付け、第一ベルト部材５１の先端の長孔５５に第二ベルト部材５３の係止片７３を係止させておく。
【００２３】
そして、釣糸２３に浮き２１を取り付けるには、図４に示すように両分割体２５，２７を離間させた状態で、突片３５，３７の釣糸案内溝４３，４５に釣糸２３を挿入して釣糸挿通孔４７，４９まで移動させる。これにより、図６に示すように釣糸２３は浮き２１の中心軸上にセットされる。
この後、第一ベルト部材５１をガイドとして左側分割体２５を右側分割体２７方向へ移動して釣糸挟持面３１，３３を向かい合わせて重ねれば、釣糸２３が釣糸挟持面３１，３３の中央で挟持される。
【００２４】
そして、第一ベルト部材５１をベルト体巻回溝６５内に巻回して、係止片７３をベルト体係止部６９に係止した後、係止片７３とベルト体係止部６９との係止部位を支点に第二ベルト部材５３をベルト体巻回溝６５，６７に沿って倒せば、係止片７５がベルト体係止部７１に係止して両分割体２５，２７の接合状態がベルト体２９で保持され、釣糸挟持面３１，３３で挟持された釣糸２３に浮き２１が取り付くこととなる。
【００２５】
また、釣場の状況に応じ、釣糸２３への浮き２１の取付位置を変更するには、第二ベルト部材５３の係止片７５をベルト体係止部７１から外して釣糸挟持面３１，３３での挟持力を緩めればよく、更に係止片７３をベルト体係止部６９から外して釣糸２３への挟持力を更に緩めてもよい。
そして、釣糸挟持面３１，３３による挟持位置を変更した後、再度、既述したように釣糸挟持面３１，３３を向かい合わせてベルト体２９を巻着させれば、新たな釣糸２３の位置に浮き２１が取り付くこととなる。
【００２６】
このように、本実施形態に係る浮き２１は、釣糸挟持面３１，３３間に釣糸２３を配置した後、両分割体２５，２７を向かい合わせてこれらの外周にベルト体２９を巻着させるといった簡単な操作で浮き２１を釣糸２３に止着することができ、釣糸挟持面３１，３３が釣糸２３に直交する方向に移動するので、釣糸をロックする間際で釣糸に僅かに捻りと締め付けが同時に加わる特許文献２の従来例に比し、釣糸２３を損傷して強度低下を引き起こしたり、糸撚れを発生させてしまうことがない利点を有する。
【００２７】
また、既述したように特許文献１の従来例は、一方の接合面１３の周縁部に設けた係止片１５を他方の接合面１１の周縁部に設けた係止部１７に係止して、釣糸９を挟み込んだ接合面１１，１３の接合状態を維持する構造上、釣糸９に対する締付力が必ずしも十分なものとはいえなかったが、本実施形態では、図６に示すように右側分割体２７に取り付く第一ベルト部材５１がベルト挿通孔６１，５９を経てベルト体巻回溝６５，６７を巻回した後、第二ベルト部材５３の端部に設けた係止片７５が右側分割体２７のベルト体係止部７１に係止する構造、即ち、ベルト体２９が釣糸挟持面３１，３３間を跨って半周以上に亘って浮き２１の外周を巻回しているため、特許文献１の従来例に比し釣糸２３に対する十分な締付力が得られ、また、釣糸挟持面３１，３３に於ける挟持力のムラが小さくなり、例えば浮き２１の中心軸に近いところでも、浮き２１の外周側に近いところで挟持した場合と同様に確実に挟持され、この結果、浮き２１を容易且つズレることなく確実に釣糸２３に取り付けることができる利点を有する。
【００２８】
而も、本実施形態は、釣糸２３を釣糸案内溝４３，４５で浮き２１の中心軸上に案内するため、特許文献１の浮きと異なり釣糸２３を浮き２１の中心に配置することが可能であるし、ベルト体２９を可撓性のある第一ベルト部材５１と硬質な第二ベルト部材５３とで構成したため、第一ベルト部材５１で仮止めした後、第二ベルト部材５３でロックするといった動作が可能で、操作性に優れた利点を有する。
【００２９】
また、左右一対の分割体２５，２７を有しているため、釣糸を挿通せずに外側から取り付けることが可能で、釣り仕掛けの途中の釣糸に容易に止着できる。
図７乃至図１０は、「水中浮き」に請求項１及び請求項４に係る発明を適用した一実施形態を示し、以下、本発明の実施形態を図面に基づいて説明するが、図１の浮き２１と同一のものは同一符号を以って表示する。
【００３０】
図示するように、本実施形態に係る浮き７７も略円錐状に形成され、取り付ける釣糸２３の長手方向に沿って左右に分割された一対の左側分割体７９と右側分割体８１、そして、これらの外周に巻着されたベルト体８３とで構成されている。
図８に示すように左側分割体７９と右側分割体８１は、既述した分割体２５，２７と同一材料を用いて横断面略半円形状に形成されており、両分割体７９，８１には、相対する平坦な釣糸挟持面８５，８７が向かい合わせて当接可能に設けられている。
【００３１】
そして、右側分割体８１の頂部と底部には、左側分割体７９方向へ平面視半円形状の突片３５，３７が突設され、一方、左側分割体７９の頂部と底部には、釣糸挟持面８５，８７の接合時に突片３５，３７の底部が接合する平坦な載置部３９，４１が設けられており、図７に示すように突片３５，３７は浮き７７の頂部と底部を構成している。
更に、突片３５，３７には、夫々、釣糸２３を浮き７７の中央に案内する１本の釣糸案内溝４３，４５が釣糸挟持面８７と直交して設けられており、釣糸案内溝４３，４５の奥部は釣糸挟持面８７に達してこれと面一とされ、そして、釣糸案内溝４３，４５の奥部に、釣糸挿通孔４７，４９が浮き７７の中心軸と一致して設けられている。
【００３２】
そして、図７及び図８に示すように釣糸挟持面８５，８７を接合した両分割体７９，８１の中央外周に樹脂で形成された一本の可撓性を有するベルト体８３が巻着して、両分割体７９，８１の接合状態が保持されるようになっており、釣糸挟持面８５，８７を向かい合わせて閉じて、釣糸２３を挟持してベルト体８３を巻着することで、浮き７７が釣糸２３に取り付くこととなる。
【００３３】
図８乃至図１０に示すようにベルト体８３は帯状に形成され、その後端に断面Ｌ字状に折曲した取付片８９が設けられている。そして、ベルト体８３の先端には、図６で既述した係止片７５と同一形状の係止片７５が設けられている。
一方、図９に示すように右側分割体８１の外周には、図６の右側分割体２７と同様、ベルト体巻回溝６７とベルト体係止部７１が設けられているが、右側分割体８１の他端側中央外周には、前記取付片８９が取付可能なベルト体取付部９１とこれに連なるベルト体巻回溝９３が、釣糸挟持面８７方向へ設けられている。
【００３４】
更に、左側分割体７９の中央外周には、ベルト体８３が巻回可能なベルト体巻回溝９５が周方向に設けられており、釣糸挟持面８５，８７を向かい合わせると、ベルト体巻回溝９３，９５，６７が周方向に連通してベルト体８３が巻回可能な１本の溝が形成されるようになっている。そして、ベルト体８３は、両分割体７９，８１の外周と面一となってベルト体巻回溝９３，９５，６７内に巻着される。
【００３５】
本実施形態に係る浮き７７はこのように構成されているから、使用に当たり、予め図９の如く取付片８９をベルト体取付部９１に取り付けて、ベルト体８３の一端側を右側分割体８１に固着しておく。
そして、釣糸２３に浮き７７を取り付けるには、図９及び図１０に示すように両分割体７９，８１を離間させた状態で、突片３５，３７の釣糸案内溝４３，４５に釣糸２３を挿入して釣糸挿通孔４７，４９まで移動させる。これにより、図９に示すように釣糸２３は浮き７７の中心軸上にセットされる。
【００３６】
この後、釣糸挟持面８５，８７を接合すれば、釣糸２３が釣糸挟持面８５，８７の中央で挟持される。
そして、ベルト体８３をベルト体巻回溝９３，９５，６７内に巻回して、係止片７５をベルト体係止部７１に係止すれば、両分割体７９，８１の接合状態がベルト体８３で保持され、釣糸挟持面８５，８７で挟持された釣糸２３に浮き７７が取り付くこととなる。
【００３７】
また、釣場の状況に応じ、釣糸２３への浮き２１の取付位置を変更するには、ベルト体８３を外せばよい。
このように、本実施形態に係る浮７７も、釣糸挟持面８５，８７間に釣糸２３を配置した後、両分割体７９，８１を接合してこれらの外周にベルト体８３を巻着させるといった操作で浮き７７を釣糸２３に止着することができるので、特許文献２の従来例に比し、釣糸２３を損傷して強度低下を引き起こしたり、糸撚れを発生させてしまうことがない利点を有する。
【００３８】
また、本実施形態も、ベルト体８３が釣糸挟持面８５，８７間を跨って半周以上に亘って浮き７７の外周を巻回しているため、特許文献１の従来例に比し釣糸２３に対する十分な締付力が得られ、この結果、浮き７７を容易且つズレることなく確実に釣糸２３に取り付けることができる利点を有する。
更に本実施形態も、釣糸２３を釣糸案内溝４３，４５で浮き７７の中心軸上に案内するため、特許文献１の浮きと異なり釣糸２３を浮き７７の中心に配置することが可能である。
【００３９】
また、本実施形態に於ても、ベルト体８３に前記係止片７３に該当する係合凸部を一体に形成し、一方、分割体７９または分割体８１に前記ベルト体係止部６９に該当する係合凹部を設けて、これらが互いに係合するようにしてもよい。
【００４３】
尚、上述した各実施形態は、本発明に係る釣具の釣糸保持構造を浮きに適用したものであるが、錘やその他釣糸に取り付けて使用する釣具にも適用することが可能である。
【図面の簡単な説明】
【００４４】
【図１】請求項１乃至請求項５に係る発明を適用した浮きの一実施形態の全体斜視図である。
【図２】浮きの平面図である。
【図３】図５のIII−III線断面図である。
【図４】浮きの使用方法を示す縦断面図である。
【図５】釣糸に取り付く浮きの横断面図である。
【図６】浮きの使用方法を示す横断面図である。
【図７】請求項１及び請求項４に係る発明を適用した浮きの一実施形態の全体斜視図である。
【図８】釣糸に取り付く浮きの横断面図である。
【図９】浮きの使用方法を示す横断面図である。
【図１０】浮きの使用方法を示す縦断面図である。
【図１１】従来の浮きの取付方法を示す全体斜視図である。
【図１２】釣糸に取り付く浮きの正面側全体斜視図である。
【図１３】釣糸に取り付く浮きの背面側全体斜視図である。
【符号の説明】
【００４５】
２１，７７  浮き
２３  釣糸
２５，７９  左側分割体
２７，８１  右側分割体
２９，８３  ベルト体
３１，３３，８５，８７  釣糸挟持面
３５，３７  突片
３９，４１  載置部
４３，４５  釣糸案内溝
４７，４９  釣糸挿通孔
５１  第一ベルト部材
５３  第二ベルト部材
５５  長孔
５７，８９  取付片
５９，６１  ベルト挿通孔
６３，９１  ベルト体取付部
６５，６７，９３，９５  ベルト体巻回溝
６９，７１  ベルト体係止部
７３，７５  係止片
【図１】
0004550706.tif 000002
【図２】
0004550706.tif 000003
【図３】
0004550706.tif 000004
【図４】
0004550706.tif 000005
【図５】
0004550706.tif 000006
【図６】
0004550706.tif 000007
【図７】
0004550706.tif 000008
【図８】
0004550706.tif 000009
【図９】
0004550706.tif 000010
【図１０】
0004550706.tif 000011
【図１１】
0004550706.tif 000012
【図１２】
0004550706.tif 000013
【図１３】
0004550706.tif 000014